(57)【要約】【課題】患者が病床を離れても問題が無いかどうかを容易に確認できるようにしつつ、気兼ねなく病床を離れることができるようにする。【解決手段】患者が行先情報入力部５で行先情報を入力しようとすると、所定時間内に予定が存在するか否かを判定部７により判定し、予定が存在する場合には、患者が病床を離れないように促す警告を警告出力部により出力する。また、患者が行先情報を入力した場合には、医療従事者用情報端末１０の表示部１４に患者の行先を表示する。これにより、予定が存在する場合には、警告によって患者が病床を離れないように促され、患者は看護や治療などの予定を医療従事者に予定通り実施させることができる。また、予定が存在しない場合には、警告が行われないので、患者は安心して病床を離れることができる。また、患者の行先が表示されるので、医療従事者は、患者を捜す必要が生じた場合でも患者の行先を容易に把握することができる。【選択図】  図１
2010172553.tif 000002
【特許請求の範囲】
【請求項１】
患者の病床近傍に設置される情報端末と、医療従事者により使用される医療従事者用情報端末とを接続してなる看護支援システムであって、
前記情報端末は、前記患者が前記病床を離れる際に行先を示す行先情報を入力するための行先情報入力部と、前記患者が前記行先情報入力部を操作した際に、使用する患者の看護や治療の予定を示す予定情報を参照して、前記行先情報入力部を操作しようとした時刻またはその時刻から所定時間内に看護や治療の予定が存在するか否かを判定する判定部と、前記予定情報が存在すると前記判定部にて判断した場合に、前記患者が前記病床を離れないように促す警告を出力する警告出力部と、前記予定情報を入力するとともに前記行先情報入力部により入力された前記行先情報を医療従事者用情報端末に出力する情報端末インターフェースとを備え、
前記医療従事者用情報端末は、前記行先情報を入力する医療従事者用情報端末インターフェースと、前記医療従事者用情報端末インターフェースが入力した前記行先情報を表示する表示部とを備えたことを特徴とする看護支援システム。
【発明の詳細な説明】
【技術分野】
【０００１】
本発明は、看護師などの医療従事者が患者の行先を把握するための看護支援システムに関する。
【背景技術】
【０００２】
従来、医療従事者から患者に開示されるカルテや治療予定などの内容は、紙に記載された情報に基づいて開示されていたが、患者の病床近傍に設置された情報端末のモニターにカルテや治療予定などの情報を表示することで情報の開示を行う技術も知られている（例えば、特許文献１参照）。
【０００３】
また、患者によっては、常に病床に居るわけではなく、病床を離れて売店やトイレ、散歩などに行くことが考えられる。このように、患者が病床を離れている状態で医療従事者が治療予定に従って患者の病床を訪れた場合に、患者が不在であるため、医療従事者が治療予定に従った行動を実施できなくなってしまうという問題があった。このような場合に、医療従事者が患者の行先を把握することができれば、患者の行先に患者を呼びに行ったり、患者の行先に放送を行って呼び出したりすることができる。そのため、病院内を闇雲に捜すよりも効率が良くなり、医療従事者の時間のロスを最小限で済ますことができ、病院内全体に放送を行って呼び出すよりも病院内の静寂性を保つことができる。
【０００４】
ところで、組織内要員が席を離れる際に、行先を示す行先情報を情報端末に入力することで、他の組織内要員の情報端末に行先情報を表示するシステムが知られている（例えば、特許文献２参照）。この特許文献２に記載のシステムを病院内の看護支援システムに適用すると、患者が病床を離れる際に、自身の行先を情報端末に入力しておけば、他の情報端末などで患者の行先を表示することができる。従って、他の情報端末の表示を見た医療従事者は患者の行先を把握することができる。
【先行技術文献】
【特許文献】
【０００５】
【特許文献１】特開２００３−３１０６７２号公報
【特許文献２】特開平８−２２３２１０号公報
【発明の概要】
【発明が解決しようとする課題】
【０００６】
しかしながら、特許文献２に記載の技術を適用した看護支援システムによれば、患者が病床を離れている間に治療予定などが入っていると、自身が呼ばれたり、放送により呼び出されたりするため、患者は気兼ねして病床を離れ難くなってしまうという問題があった。この問題を解消するために、病床を離れようとする患者は、特許文献１に記載の情報端末を適用した看護支援システムの情報端末を利用して自身の治療予定などを確認し、自身の治療予定が入っていないことを確認してから、自身の行先を入力し、病床を離れる必要があった。そのため、このような看護支援システムは、患者に余計な負担をかけてしまうという問題があった。
【０００７】
本発明は、このような問題を解決するために成されたものであり、患者が病床を離れようとする際に、病床を離れても問題が無いかどうかを患者が容易に確認できるようにしつつ、患者が気兼ねなく病床を離れることができるようにすることを目的とする。
【課題を解決するための手段】
【０００８】
上述した課題を解決するために、本発明では、患者が情報端末で行先を示す行先情報を入力しようとした際に、その時刻またはその時刻から所定時間内に看護や治療などの予定が存在するか否かを判定し、予定が存在する場合に、患者が病床を離れないように促す警告を出力するようにしている。また、患者が入力した行先情報により、患者の行先を表示するようにしている。
【発明の効果】
【０００９】
上記のように構成した本発明によれば、患者が自身の行先を医療従事者に知らせるために行先情報を入力しようとした際に、その時刻またはその時刻から所定時間内に看護や治療などの予定が存在する場合には、警告によって患者が病床を離れないように促される。そのため、患者は病床を離れても問題が無いかどうかを容易に確認することができる。また、警告を把握した患者は、病床を離れるタイミングをずらしたり、病床を離れることを取り止めたりすることで、看護や治療などの予定を医療従事者に予定通り実施させることができる。また、看護や治療などの予定が存在しない場合には、警告が行われないので、患者は気兼ねなく、安心して病床を離れることができる。
【００１０】
また、患者によって行先情報が入力されると、患者の行先が表示されるようになるので、看護や治療などの予定外の状況で医療従事者が患者を捜す必要が生じた場合でも、医療従事者は患者の行先を容易に把握することができる。
【図面の簡単な説明】
【００１１】
【図１】本実施形態による看護支援システムの構成例を示すブロック図である。
【図２】本実施形態の看護支援システムによる情報端末の行先情報入力部の表示例を示す図である。
【図３】本実施形態による看護支援システムの動作を示すフローチャートである。
【発明を実施するための形態】
【００１２】
以下、本発明の一実施形態を図面に基づいて説明する。図１は、本実施形態による看護支援システムの構成例を示すブロック図である。図１に示すように、本実施形態による看護支援システムは、患者の病床近傍に設置される情報端末１と医療従事者によって使用される医療従事者用情報端末１０とを備えて構成されている。なお、医療従事者用情報端末１０は、医療従事者の詰め所であるナースセンターなどに設置されていても良いし、医療従事者が携行する携帯端末として使用されていても良いし、その両方であっても良い。
【００１３】
情報端末１は、情報端末制御部２、情報端末インターフェース３、情報端末用予定情報記憶部４、行先情報入力部５、時計部６、判定部７、警告出力部８を備えて構成されている。また、医療従事者用情報端末１０は、医療従事者用情報端末制御部１１、記憶部１２、医療従事者用情報端末インターフェース１３、表示部１４を備えて構成されている。
【００１４】
情報端末制御部２は、情報端末１の各構成要素を制御するためのものであり、ＣＰＵ（Central
Processing Unit）などにより構成されている。情報端末インターフェース３は、情報端末１と医療従事者用端末装置１０とを接続して通信を行うためのものである。また、情報端末インターフェース３は、医療従事者用情報端末１０から患者の看護や治療の予定を示す予定情報を入力する。ここで、情報端末１と医療従事者用端末装置１０との間の通信は、有線や無線によって行われる。また、予定情報には、少なくとも看護や治療の内容とその実施予定時刻とが含まれる。また、情報端末インターフェース３が入力する予定情報は、この情報端末１を使用する患者に関する予定情報のみである。
【００１５】
情報端末用予定情報記憶部４は、情報端末インターフェース３が入力した予定情報を一時的に記憶するものであり、メモリなどにより構成されている。行先情報入力部５は、患者が病床を離れる際に、行先を示す行先情報を入力するためのものである。ここで、行先情報入力部５は、図示しないタッチパネルなどにより構成されており、患者が図２（ａ）に示す行先入力開始ボタンをタッチすると、図２（ｂ）に示す行先の候補が一覧表示される。そして、患者が一覧表示された行先の候補の中から行先を選択することで、行先情報の入力が行われる。また、行先の候補としては、トイレやトイレ、喫煙所などが考えられる。
【００１６】
ここで、図２（ａ）の行先入力開始ボタンの上部には、情報端末１を使用する患者の看護や治療などの予定が表示される。そのため、患者は、常に自身の予定を把握することができる。また、図２（ｂ）の行先の候補の表示画面の右側には、スクロールバーが表示されており、このスクロールバーを操作することで、他の行先の候補を表示させることができる。
【００１７】
時計部６は、現在時刻を示す現在時刻情報を生成して出力する。判定部７は、行先情報入力部５が操作されようとした時刻と情報端末用予定情報記憶部４に記憶されている予定情報に含まれる実施予定時刻とを比較して、患者が行先情報入力部５を操作しようとした時刻またはその時刻から所定時間（例えば、３０分など）内に看護や治療の予定が存在するか否かを判定する。具体的には、情報端末制御部２は、行先情報入力部５の入力の開始欄がタッチされた時刻を示す現在時刻情報を時計部６から取得する。そして、判定部７は、取得した現在時刻情報の範囲内（その時刻から所定時間内）の実施予定時刻を含む予定情報が情報端末用予定情報記憶部４に存在するか否かを判定する。
【００１８】
予定情報が存在すると判定部７にて判断した場合には、判定部７は、予定情報が存在するという結果を示す結果情報を情報端末制御部２へ出力する。一方、予定情報が存在しないと判定部７にて判断した場合には、判定部７は、予定情報が存在しないという結果を示す結果情報を情報端末制御部２へ出力する。
【００１９】
警告出力部８は、患者が病床を離れないように促す警告を出力するためのものである。ここで、警告出力部８は、警告音声を出力するスピーカや警告表示を行うディスプレイなどにより構成される。警告音声や警告表示としては、「看護の予定がありますので、ベッドを離れないでください」などが考えられる。また、具体的には、予定情報が存在するという結果を示す結果情報を入力した情報端末制御部２が警告出力部８を動作させるようにしている。なお、警告表示を行うディスプレイとして前述したタッチパネルを用いても良い（図２（ｃ）参照）。
【００２０】
ところで、予定情報が存在しないという結果を示す結果情報を情報端末制御部２が入力した場合には、情報端末制御部２は警告出力部８を動作させないため、患者は行先情報入力部５による行先情報の入力を継続して行うことができる（図２（ｃ）の画面へ移行する）。また、予定情報が存在するという結果を示す結果情報を情報端末制御部２が入力し、情報端末制御部２が警告出力部８を動作させて、警告出力部８から、患者が病床を離れないように促す警告が出力された場合でも、患者は行先情報入力部５による行先情報の入力を継続して行うことができる（図２（ｂ）の画面で再度行先入力開始ボタンをタッチすると図２（ｃ）の画面へ移行する）。このように、行先情報入力部５により行先情報が入力されると、情報端末制御部２は、この情報端末１に固有の識別情報を行先情報に付加して、情報端末インターフェース３により出力する。
【００２１】
次に、医療従事者用情報端末１０の構成要素を説明する。医療従事者用情報端末制御部１１は、医療従事者用情報端末１０の各構成要素を制御するためのものであり、ＣＰＵなどにより構成されている。記憶部１２は、患者の看護や治療の予定を示す予定情報を記憶している。また、記憶部１２は、情報端末１の識別情報と情報端末１を使用する患者の識別情報（例えば、患者氏名など）とを関連付けて記憶している。ここで、記憶部１２はハードディスクドライブなどにより構成されている。
【００２２】
医療従事者用情報端末インターフェース１３は、医療従事者用端末装置１０と情報端末１とを接続して通信を行うためのものである。また、医療従事者用情報端末インターフェース１３は、情報端末１へ予定情報を出力する。ここで、記憶部１２に記憶されている予定情報には、患者の識別情報が含まれており、医療従事者用情報端末制御部１１は、各患者の予定情報を区別し、記憶部１２に関連付けて記憶されている情報端末１の識別情報と患者の識別情報との関係を用いて、各情報端末１に対して医療従事者用情報端末インターフェース１３により予定情報を出力する。また、医療従事者用情報端末制御部１１は、予定情報を定期的に出力しているが、予定情報が変更された場合にも出力するようにしている。
【００２３】
また、医療従事者用情報端末インターフェース１３は、情報端末１が出力した行先情報を入力する。医療従事者用情報端末制御部１１は、医療従事者用情報端末インターフェース１３が入力した行先情報を解析して、行先情報を出力した情報端末１の識別情報を記憶部１２に記憶された情報端末１の識別情報と照合して、関連付けて記憶されている患者の識別情報を特定する。また、医療従事者用情報端末制御部１１は、行先情報により行先を特定する。表示部１４は、患者の行先を表示するためのものであり、ディスプレイなどにより構成されている。医療従事者用情報端末制御部１１は、特定した患者および行先を表示部１４に表示させる。表示部１４に表示される内容としては、「○○さん（患者氏名）は、１階の売店に居ます」といった文字表示であったり、建物の構造を示す平面図上に患者を示すアイコンをイメージ表示させたりする方法が考えられる。
【００２４】
なお、本実施形態では、患者の行先が表示部１４に表示されるが、患者が病床に戻った際には、患者の行先の表示が消えることが好ましい。そのため、患者が情報端末１にて行先情報入力部５を操作することで、患者が病床に戻ったことを医療従事者用情報端末１０に伝えるようにしても良い。また、ある程度の時間が経過した場合に、患者の行先の表示を消去するようにしても良い。
【００２５】
次に、本実施形態による看護支援システムの動作を説明する。図２は、本実施形態による看護支援システムの動作を示すフローチャートである。まず、情報端末１では、行先情報入力部５が操作されたか否かを情報端末制御部２にて調べる（ステップＳ１）。行先情報入力部５が操作されていないと情報端末制御部２にて判断した場合には（ステップＳ１にてＮＯ）、ステップＳ１の処理を繰り返す。一方、行先情報入力部５が操作されたと情報端末制御部２にて判断した場合には（ステップＳ１にてＹＥＳ）、情報端末制御部２は、時計部６にて生成された現在時刻情報に基づいて、現在時刻から所定時間内の予定情報が情報端末用予定情報記憶部４に存在するか否かを調べる（ステップＳ２）。
【００２６】
現在時刻から所定時間内の予定情報が存在しないと情報端末制御部２にて判断した場合には（ステップＳ２にてＮＯ）、ステップＳ４の処理に移行する。一方、現在時刻から所定時間内の予定情報が存在すると情報端末制御部２にて判断した場合には（ステップＳ２にてＹＥＳ）、情報端末制御部２は、警告出力部８を動作させて、患者が病床を離れないように促す警告を出力し（ステップＳ３）、ステップＳ４の処理に移行する。
【００２７】
ステップＳ４では、情報端末制御部２が警告出力部８を動作させてから所定の時間（例えば、２分など）が経過したか否かを情報端末制御部２にて調べる。ここで、所定の時間が経過したと情報端末制御部２にて判断した場合には（ステップＳ４にてＹＥＳ）、情報端末制御部２は警告出力部８を停止して警告の出力を停止する（ステップＳ５）。そして、ステップＳ１の処理に戻る。
【００２８】
一方、所定の時間が経過していないと情報端末制御部２にて判断した場合には（ステップＳ４にてＮＯ）、情報端末制御部２は、行先情報入力部５が引き続き操作されて、行先情報が入力されたか否かを調べる（ステップＳ６）。行先情報が入力されていないと情報端末制御部２にて判断した場合には（ステップＳ６にてＮＯ）、ステップＳ４の処理に戻る。一方、行先情報が入力されたと情報端末制御部２にて判断した場合には（ステップＳ６にてＹＥＳ）、情報端末制御部２は行先情報を医療従事者用情報端末１０へ出力する（ステップＳ７）。そして、ステップＳ１の処理に戻る。
【００２９】
医療従事者用情報端末１０では、医療従事者用情報端末インターフェース１３が行先情報を入力したか否かを医療従事者用情報端末制御部１１にて調べる（ステップＳ８）。行先情報を入力していないと医療従事者用情報端末制御部１１にて判断した場合には（ステップＳ８にてＮＯ）、ステップＳ８の処理を繰り返す。一方、行先情報を入力したと医療従事者用情報端末制御部１１にて判断した場合には（ステップＳ８にてＹＥＳ）、医療従事者用情報端末制御部１１は、行先情報に含まれる識別情報によって患者を特定するとともに、行先情報によって行先を特定して、患者の行先を表示部１４に表示する（ステップＳ９）。
【００３０】
以上詳しく説明したように、本実施形態によれば、患者が情報端末１の行先情報入力部５で行先を示す行先情報を入力しようとした際に、その時刻から所定時間内に看護や治療などの予定が存在するか否かを判定部７により判定している。そして、予定が存在する場合には、警告出力部８を動作させて、患者が病床を離れないように促す警告を出力するようにしている。また、患者が行先情報入力部５により行先情報を入力した場合には、医療従事者用情報端末１０の表示部１４に患者の行先を表示するようにしている。
【００３１】
これにより、患者が自身の行先を医療従事者に知らせるために行先情報を入力しようとした際に、その時刻またはその時刻から所定時間内に看護や治療などの予定が存在する場合には、警告によって患者が病床を離れないように促される。そのため、患者は病床を離れても問題が無いかどうかを容易に確認することができる。また、患者は、病床を離れるタイミングをずらしたり、病床を離れることを取り止めたりすることで、看護や治療などの予定を医療従事者に予定通り実施させることができる。
【００３２】
また、看護や治療などの予定が存在しない場合には、警告が行われないので、患者は気兼ねなく安心して病床を離れることができる。また、警告が行われない場合に患者によって行先情報が入力されると、患者の行先が表示部１４に表示されるので、看護や治療などの予定外の状況で医療従事者が患者を捜す必要が生じた場合でも、医療従事者は患者の行先を容易に把握することができる。従って、自身の予定の有無に関わらず、患者は気兼ねなく病床を離れることができる。また、警告を無視して患者が行先情報を入力した場合には、患者の行先が表示部１４に表示されるので、医療従事者は容易に患者を捜すことができる。
【００３３】
なお、前述した実施形態では、各患者の予定情報が医療従事者用情報端末１０の記憶部１２に記憶されているが、これに限定されない。例えば、別途設けた看護支援用のパーソナルコンピュータの記憶部に記憶されるようにしても良い。このような場合、看護支援用のパーソナルコンピュータと情報端末１とはネットワークなどを介して接続される。
【００３４】
また、前述した実施形態では、情報端末用予定情報記憶部４、時計部６、判定部７を情報端末１に設けているが、これに限定されない。例えば、これらの構成要素を医療従事者用情報端末１０などに設けるようにしても良い。
【００３５】
また、前述した実施形態では、患者が自発的に行先情報入力部５を操作して行先情報を入力しようとしているが、これに限定されない。例えば、病床上にシート状のセンサを設置して、患者が上半身を起こして病床を離れようとしたことを検出して、行先情報の入力を促す警告を警告出力部８により出力するようにしても良い。これにより、患者が行先情報の入力を忘れ難くすることができる。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３７】
１    情報端末
２    情報端末制御部
３    情報端末インターフェース
４    情報端末用予定情報記憶部
５    行先情報入力部
６    時計部
７    判定部
８    警告出力部
１０    医療従事者用情報端末
１１    医療従事者用情報端末制御部
１２    記憶部
１３    医療従事者用情報端末インターフェース
１４    表示部
【図１】
2010172553.tif 000003
【図２】
2010172553.tif 000004
【図３】
2010172553.tif 000005